(57)【要約】【課題】天板を支持体に設けた天板支持用ブラケットに支持させた天板付家具に適用して、煩雑な取付作業を伴わずに支持体に対して精度良く天板支持用ブラケットを取り付けることができしかも天板付家具の組立精度も向上することができる天板支持ブラケットの取付構造を提供する。【解決手段】支持体４を、その主体となる支持体本体５と天板支持面６３ａを有する天板支持用ブラケット６とを具備するものとして、支持体本体５に切欠部５１ａを形成し、この切欠部５１ａに天板支持用ブラケット６を挿入した状態でこの天板支持用ブラケット６を支持体本体５に上下方向に固定して取り付けるように構成した。【選択図】図７
2004344573.tif 000002
【特許請求の範囲】
【請求項１】
天板を支持体に支持させて取り付けるようにした天板付家具に適用されるものであって、
前記支持体を、その主体となる支持体本体と天板支持面を有する天板支持用ブラケットとを具備するものとして、支持体本体に切欠部を形成し、該切欠部に天板支持用ブラケットを挿入した状態で該天板支持用ブラケットを支持体本体に上下方向に固定して取り付けるように構成している天板支持用ブラケットの取付構造。
【請求項２】
前記切欠部を上方に開口させて形成し、該切欠部に上方から挿入した天板支持用ブラケットをこの切欠部の上向面に載置した状態で、天板支持用ブラケットと支持体本体とを上下方向に固定するようにしている請求項１記載の天板支持用ブラケットの取付構造。
【請求項３】
前記天板支持用ブラケットに上下方向に貫通するボルト挿通孔を形成する一方、支持体本体に前記切欠部の上向面に開口し前記ボルト挿通孔に連通するボルト挿通孔を形成するとともに、この支持体本体のボルト挿通孔に連通させてナット部材を埋設し、両ボルト挿通孔に上方から挿入したボルト部材を前記ナット部材に固定することによって、天板支持用ブラケットを支持体本体に固定するようにしている請求項２記載の天板支持用ブラケットの取付構造。
【請求項４】
前記天板支持用ブラケットに支持されるボルト部材の頭部と前記ナット部材とを所定距離離間させている請求項３記載の天板支持用ブラケットの取付構造。
【請求項５】
天板をその一側端部又は両側端部に配置される支持体に支持させて取り付けるようにした天板付家具に適用されるものであって、
前記支持体を、その主体となる支持体本体たる側板と天板支持面を有する天板支持用ブラケットとを具備するものとして、側板に上方から天板支持用ブラケットを載置するとともにその下方における側板の内部にナット部材を埋設し、さらに側板及び天板支持用ブラケットに前記ナット部材のナット孔に連通して上下方向に延びるボルト挿通孔を形成し、天板支持用ブラケット及び側板のボルト挿通孔に上方から挿入したボルト部材を前記ナット部材に固定することによって、天板支持用ブラケットを側板に固定するように構成している天板支持用ブラケットの取付構造。
【請求項６】
前記側板の上端部に上方へ開口する切欠部を形成し、該切欠部に上方から天板支持用ブラケットを挿入してこの切欠部の上向面に載置するように構成し、該切欠部に前記ボルト挿通孔を開口させている請求項５記載の天板支持用ブラケットの取付構造。
【請求項７】
前記ナット部材が、ナット孔を上下に向けた姿勢で支持体本体に埋設されるブロック状をなすものである請求項３、４、５又は６記載の天板支持用ブラケットの取付構造。
【発明の詳細な説明】
【０００１】
【発明の属する技術分野】
本発明は、支持体に天板を取り付けるための天板支持用ブラケットの取付構造に関するものである。
【０００２】
【従来の技術】
従来より、天板を支持体に設けた天板支持用ブラケットに支持させた構成を有するテーブルやデスク、ワゴン等の天板付き家具において、天板支持用ブラケットの支持体本体に対する取付構造は、天板取付支持用ブラケットを支持体本体に載せ置いた状態で上方から天板支持ブラケットを支持体に固定するようにした構成が一般的である。天板を支持体本体たる一対の木製の側板に支持させた構成の机における天板支持用ブラケットの取付構造を一例に挙げると、この取付構造では、側板の上端面に上方に開口させた複数の鬼目ナットを埋め込んでおき、この鬼目ナットのネジ孔に天板支持用ブラケットの貫通孔の位置を合わせるようにして天板支持用ブラケットを側板上に載せ、その貫通孔に上方から挿入したボルトを鬼目ナットのネジ孔に締着するという構成が採用されている（例えば、参考文献１参照）。また、支持体本体が木以外の材質である場合も同様に、天板支持用ブラケットを支持体本体に載せ置いた状態で、側板の上端面に開口させて設けたナットとその上方に載せ置いた天板支持用ブラケットとを、上方から挿入されるボルトによって固定する構成が採用されている。さらに、側板に取り付けられる天板支持用ブラケットとしては、いわゆるＬ字金具が用いられることがある。この場合、Ｌ字金具の一片を起立姿勢で側板の内側面に沿わせて取り付けるとともに、他片を水平姿勢として天板を下方から支持するように配置される。
【０００３】
【特許文献１】
特開平４−１２７０４号公報  （第８図等）
【０００４】
【発明が解決しようとする課題】
ところが、このような構成の天板支持用ブラケットの取付構造では、支持体本体に天板支持用ブラケットを取り付けるためのナットを多数設けておく必要があるために、天板支持用ブラケットの取付位置の精度に誤差が生じる可能性があり、それに伴って天板の取付位置にも狂いが生じかねず、また天板支持用ブラケットの取付時にはそのそれぞれのナットに対してボルトを締着するという煩雑な作業を行わなくてはならない。また、支持体本体が比較的薄幅な側板であると、それに取り付けた天板支持用ブラケットの安定性が低く、特に側板が木材からなるものである場合には、側板の上端面における所定箇所に予めドリル孔を形成しておき、このドリル孔に鬼目ナットを埋め込んで取り付けることから、ドリル孔の形成位置に誤差が生じたり、鬼目ナットの埋め込み作業時にその鬼目ナット自体が傾く場合がある。また、天板支持用ブラケットの側板への取付時においても、ボルトが鬼目ナットに対して傾いて挿入されている場合には、天板支持用ブラケットの取付位置に誤差が生じ、その結果として天板の取付位置にも大きな誤差が生じる可能性もある。このような不具合は、ノックダウン方式で納入現場で組立作業が行われることが多い天板付家具において特に顕著であり、その現場での誤差の調整も困難である。しかも側板を構成する木材の硬さが各部で必ずしも均質であるとは限らないため、事後に鬼目ナットが木製天板の内部で動いてしまい所定の位置からずれることも考えられる。さらに、支持体本体に上方へナット孔が開口するようにナットを設けて、その上にアングル状やＬ字形の薄肉な天板支持用ブラケットを載せ、さらにその上方からボルトを挿入してナットに止着するようにされていることから、ボルトの頭部とナットと間には天板支持用ブラケットしか存在しないので、そのボルトの頭部とナットとが極めて近接した状態となるため、無理な力を加えてボルトを挿入したり、組立後にボルトの軸部と直交する方向に大きな外力が作用すると、ボルト及びナットに傾きが生じる恐れがある。また、側板に天板支持用のＬ字金具を取り付ける構成では、ボルトとナットとによって側板とＬ字金具とを水平方向に挟むことになるが、側板及びＬ字金具の肉厚の薄さに起因して上述した不具合と同様にボルトの頭部とナットとの間の距離が短く近接した状態となるため、天板荷重を十分に支えることができず、ボルト及びナットに傾きが生じる恐れがある。また、このような構成では、側板に対するＬ字金具の取付位置の確定も面倒であり、そのために取付位置に誤差が生じる可能性がある。以上の結果、従来の天板支持用ブラケットの取付構造を有する天板付家具の組立精度は、低いものになりがちであるといわざるを得ない。
【０００５】
そこで本発明は、以上のような問題に鑑みて、煩雑な取付作業を伴わずに支持体に対して精度良く天板支持用ブラケットを取り付けることができしかも天板付家具の組立精度も向上することができる天板支持ブラケットの取付構造を提供することを主たる目的としている。
【０００６】
【課題を解決するための手段】
すなわち、本発明の天板支持用ブラケットの取付構造は、天板を支持体に支持させて取り付けるようにした天板付家具に適用されるものであって、支持体を、その主体となる支持体本体と天板支持面を有する天板支持用ブラケットとを具備するものとして、支持体本体に切欠部を形成し、この切欠部に天板支持用ブラケットを挿入した状態でこの天板支持用ブラケットを支持体本体に上下方向に固定して取り付けるように構成したことを特徴としている。
【０００７】
このように天板支持用ブラケットを支持体本体の内部に挿入し上下方向に固定して取り付けるように構成すると、従来のように支持体に天板支持用ブラケットを載せ置いて取り付ける場合や、側板の内側面にＬ字金具等の天板支持用ブラケットを当接させて取り付ける場合と比較して、天板支持用ブラケットの位置決めを遙かに簡易且つ正確に行うことができ、取付後の天板支持用ブラケットの安定性も向上することができる。その結果、この天板支持用ブラケットに支持される天板の取付位置の精度や安定性も向上させることができるので、ノックダウン方式で納入現場において天板付家具を組み立てる場合であってもその現場で面倒な精度の調整を行う必要をなくすことができる。
【０００８】
さらに、支持体本体への天板支持用ブラケットの取付時及び取付後の安定性を高めるためには、支持体本体に形成される切欠部を上方に開口させて形成し、この切欠部に上方から挿入した天板支持用ブラケットをこの切欠部の上向面に載置した状態で、天板支持用ブラケットと支持体本体とを上下方向に固定することが望ましい。
【０００９】
以上のような構成を具体的に簡易に実現し、さらに天板支持用ブラケットを支持体本体に対して容易且つ確実に取り付けて、その取付強度も容易に向上するためには、天板支持用ブラケットに上下方向に貫通するボルト挿通孔を形成する一方、支持体本体に形成される切欠部の上向面に開口し天板支持用ブラケットに形成されたボルト挿通孔に連通するボルト挿通孔を形成するとともに、この支持体本体のボルト挿通孔に連通させてナット部材を埋設し、天板支持用ブラケット及び支持体本体のボルト挿通孔に上方から挿入したボルト部材を埋設させたナット部材に固定することによって、天板支持用ブラケットを支持体本体に固定することが有効となる。
【００１０】
この場合、ボルト部材との距離、すなわち、これらの間に介在する支持体本体及び天板支持用ブラケットの高さ方向の厚み寸法を十分に確保して、天板荷重を十分に支えることでボルト部材及びナット部材の傾きを低減し、安定した取付状態を実現するためには、天板支持用ブラケットに支持されるボルト部材の頭部とナット部材とを所定距離離間させることが好ましい。
【００１１】
また本発明に係る天板支持用ブラケットの取付構造は、天板の一側端部又は両側端部に配置される支持体に支持させて取り付けるようにした天板付家具に適用される支持体を、その主体となる支持体本体たる側板と天板支持面を有する天板支持用ブラケットとを具備するものとして、側板に天板支持用ブラケットを載置するとともにその下方における側板の内部にナット部材を埋設し、さらに側板及び天板支持用ブラケットに側板内部に埋設させたナット部材のナット孔に連通して上下方向に延びるボルト挿通孔を形成し、天板支持用ブラケット及び側板のボルト挿通孔に上方から挿入したボルト部材をナット部材に固定することによって、天板支持用ブラケットを側板に固定するように構成したことを特徴とするものでもある。
【００１２】
このような構成とすれば、天板支持用ブラケットを支持体本体たる側板に取り付けるためのボルト部材の頭部と側板内部のナット部材におけるナット孔との距離を、上述した従来の取付構造におけるボルト部材の頭部とナット部材との距離よりも、少なくともナット孔の上方に形成したボルト挿通孔の長手寸法分だけ長く取ることができる。そのため、ボルト部材の止着時に無理な力を加えたとしてもボルト部材とナット部材の傾きは比較的小さく、また組立後にボルト部材の軸部と直交する方向に外力が作用しても、その力をボルト挿通孔の寸法分の側板の肉厚で受けることができるのでやはりボルト部材とナットとの傾きは小さくなる。したがって、天板支持用ブラケット及び天板の取付誤差を非常に小さいものとすることができる。このことは、幅方向の肉厚が比較的薄いが高さ方向には十分な厚みがある側板の場合に特に有効となる。
【００１３】
さらにこのような構成の場合にも、側板の上端部に上方へ開口する切欠部を形成し、この切欠部に上方から天板支持用ブラケットを挿入してこの切欠部の上向面に載置するように構成し、この切欠部に前記ボルト挿通孔を開口させるようにすれば、天板支持用ブラケットの位置決めが容易となり、迅速な組立作業を行うことができるようになる。
【００１４】
また、上述したようなボルト部材及びナット部材を用いる何れの構成であっても、ナット部材によってボルト部材を強固且つ安定的に支持し得るものとするためには、ナット部材を、ナット孔を上下に向けた姿勢で支持体本体に埋設されるブロック状をなすものとすることが好ましい。
【００１５】
【発明の実施の形態】
以下、本発明の一実施形態を、図面を参照して説明する。
【００１６】
本実施形態に係る天板支持用ブラケット６の取付構造Ｙは、図１〜図８に示す天板付家具の一種であるテーブルＴにおいて、天板１を支持体４に取り付けるに当たり、天板１を支持するための天板支持用ブラケット６を支持体本体たる側板５に取り付ける構造に適用したものである。
【００１７】
図１、図２、図３及び図４に示すようにこのテーブルＴは、主として天板１と、この天板１の両側端部を下方から支持する左右一対の支持体４、４とから構成されるものである。なお、これら一対の支持体４、４の間における反使用端側には、幕板７を取り付けている。なお、本実施形態では、天板１の使用縁側を前側、反使用縁側を後側として説明する。
【００１８】
まず天板１は、幅方向に長辺を設定した平面視略長方形状をなす木製の天板本体２と、この天板本体２の下面２ａ側に取り付けられる金属製の補強部材３とから構成したものである。天板本体２は、図６、図７及び図８に示すように、その主体となる矩形板状の木質部２１と、この木質部２１の外面における略全域を覆うように貼り付けた化粧部材２２とによって構成している。
【００１９】
天板本体２の下面２ａには、使用端部及び反使用端部に幅方向に沿って延びる一対の溝部２１ａ、２１ａを下方へ開口させて形成してあり、これら一対の溝部２１ａ、２１ａに前記補強部材３、３をそれぞれ挿入させて取り付けるようにしている。なお、天板本体２の下面２ａのうちこれら溝部２１ａを形成している部分には化粧部材２２は設けておらず、木質部２１にのみ溝部２１ａを形成するようにしてある。ここで各補強部材３は、金属製の中空の角パイプからなるものであって、前記各溝部２１ａの長手寸法よりも若干短い長手寸法を有しており、高さ寸法よりも奥行き寸法が大きい扁平な形状をなしている。そして、これら補強部材３の上壁３１及び側壁３３の上端部側約４分の１が溝部２１ａに挿入されるように、各溝部２１ａの深さを設定している。このように補強部材３を溝部２１ａに幅方向中奥部を合致させて挿入した状態では、補強部材３の上壁３１の上面を溝部２１ａの下向面たる当接面２１ａ１に下方から突き当てるようにしている。そして、この状態で天板本体２に補強部材３を固定するために、天板本体２において溝部２１ａの当接面２１ａ１にはその長手方向に沿って間欠的に、下方へ開口させたネジ孔２１ｂを複数形成しており、これらネジ孔２１ｂに対応する補強部材３の上壁３１及び下壁３２に開口させてそれぞれ貫通孔３１ａ、３２ｂを形成している。すなわち、補強部材３の内部に貫通孔３２ｂから挿入したボルト３１ｂの軸部を貫通孔３１ａに挿入して前記ネジ孔２１ｂに締着することによって、補強部材３を天板本体２に固定する。また、このように補強部材３が取り付けられた溝部２１ａの両側端部はそれぞれ所定の大きさの隙間２１ａｓが形成されるようにしており、これら隙間２１ａｓに、後述の支持体４の一部を構成する天板支持用ブラケット６の上端部を挿入するようにしている。
【００２０】
また、このテーブルＴに適用した天板１の取付構造Ｘにおいては、補強部材３を支持体４に取り付ける構成を採用しており、そのための構成として補強部材３の両側端部には、中空の内部を閉塞するように起立板３４を取り付けている。この起立板３４には肉厚を貫通させた前後一対のボルト挿通孔３４ａ、３４ａを形成しており、これら各ボルト挿通孔３４ａに対応させて起立板３４の内側面に止着部材Ｚの一部を構成するナットＮ１、Ｎ１を取り付けている。さらに、下壁３２の両端部における前記貫通孔３２ｂのやや内寄りの位置にも肉厚を貫通させてボルト挿通孔３２ａを形成しており、このボルト挿通孔３２ａに対応させて下壁３２の上面にナットＮ２を取り付けている。
【００２１】
次に一対の支持体４、４は、天板１の両側端部に沿ってその下方に配置されるものであり、その主体となる支持体本体たる側板５、５と、これら各側板５、５に取り付けられる天板支持用ブラケット６、６とから構成される。各側板５は、天板１の両側端部に沿ってその奥行き方向に延びる矩形板状をなすものであり、下端部に図示しないアジャスタ等の接地部材を設けている。これら側板５は、図６、図７及び図８に示すように、天板本体２と同様にその主体となる木質部５１と、この木質部５１の外面の略全域に貼り付けた化粧部材５２とから構成している。そして、この側板５の上端部には、天板１における補強部材３の配置位置に対応付けて前後方向に所定距離離間させた切欠部５１ａ、５１ａを形成している。なお、切欠部５１ａには化粧部材５２を設けていない。これら切欠部５１ａは、いずれも上方及び内側方に向けて開放するように各側板５の上端部を矩形状に切除して形成したものであり、各切欠部５１ａの上向面５１ａ１に天板支持用ブラケット６を載せ置いた状態で収容するための機能を有している。また、天板支持用ブラケット６を側板５に取り付けるための本実施形態の天板支持用ブラケット６の取付構造Ｙの構成要素として、切欠部５１ａの前後２箇所において上向面５１ａ１に開口し上下方向に延びるボルト挿通孔５１ｄを木質部５１に形成しており、このボルト挿通孔５１ｄの下端部を横切るようにして、ナット部材Ｎ３を側板５の内側面側から水平姿勢をなすように埋め込んでいる。このナット部材Ｎ３には、前記ボルト挿通孔５１ｄに連通するナット孔Ｎ３ａが形成してある。なお、本実施形態ではボルト挿通孔５１ｄの長手寸法を例えば約７０ｍｍとしている。
【００２２】
一方、天板支持用ブラケット６は、例えばアルミ合金等の金属からなるブロック状の一体形成品であって、上述した各側板５に前後一対ずつ取り付けられて、天板１に対する取付機能を有している。具体的に説明すると、これら天板支持用ブラケット６は、側板５との取付部分となる取付部６１と、天板１を接合させて取り付けるための接合部６２と、天板１を安定支持するための支持部６３とを備えている。
【００２３】
まず取付部６１は、前記切欠部５１ａにちょうど収容される大きさの矩形ブロック状をなし、その前後両端部における上面６１ａから下面６１ｂに亘って段付きのボルト挿通孔６１ｅを形成している。すなわち、図６、図７及び図８に詳細に示すように、この取付部６１を切欠部５１ａに上方から挿入して、取付部６１の下面６１ｂを切欠部５１ａの上向面５１ａ１に当接させ、且つ取付部６１の外側面６１ｄを切欠部５１ａの内向面５１ａ２に当接させた状態で、このボルト挿通孔６１ｅを、側板４に形成したボルト挿通孔５１ｄと上下方向に連通させるようにしてある。なお、本実施形態ではこのボルト挿通孔６１ｅの長手寸法を例えば約４０ｍｍとしており、両ボルト挿通孔６１ｅ、５１ｄの合計長手寸法を約１１０ｍｍとしている。そして、ボルト挿通孔６１ｅ、５１ｄの合計長手寸法に略対応する長さの軸部Ｂ３ａを有するボルト部材Ｂ３を、これらボルト挿通孔６１ｅ、５１ｄに上方から挿入し、このボルトＢ３の頭部Ｂ３ｂを、段付のボルト挿通孔６１ｅの上向面６１ｅ１を足場にして回転させることで、軸部Ｂ３ａの先端部をナット部材Ｎ３のナット孔Ｎ３ａに締め込むことによって、天板支持用ブラケット６を側板５に取り付けるようにしている。
【００２４】
接合部６２は、前記取付部６１の上向面６１ａの外側端部において、その奥行き方向中央部から上方に突出させた矩形ブロック状をなすものである。この接合部６２の外側面６２ａは取付部６１の外側面６１ｄと面一となるようにしてある。また、接合部６２の奥行き寸法及び高さ寸法を、前記補強部材３の奥行き寸法及び高さ寸法と略合致させている。すなわち、この接合部６２の上側約４分の１の部分は、天板本体２に形成した溝部２１ａの左右両端部における隙間２１ａｓに挿入されるようになっている。さらに、この接合部６２には、補強部材３における起立板３４に形成したボルト挿通孔３４ａ、３４ａに対応させて、外側面６２ａ及び内側面６２ｂに亘って貫通する段付の貫通孔６２ｃ、６２ｃを形成している。そして、天板１の取付構造Ｘにおいては、対応する貫通孔６２ｃ及びボルト挿通孔３４ａに外側方からボルトＢ１を挿入して起立板３４の内側で待機しているナットＮ１に締め込むことで、この起立板３４の起立面たる外側面３４ｂを接合部６２の起立面たる内側面６２ｂに当接させ、補強部材３を左右の接合部６２に引き寄せることで、天板支持用ブラケット６の接合部６２に補強部材３を、換言すれば支持体４に天板１を強固に取り付けるようにしている。すなわち、ボルトＢ１はナットＮ１と共に、天板１を支持体４に取り付ける止着部材Ｚを構成している。
【００２５】
また、支持部６３は、取付部６１の内側面６１ｃの幅方向中央部において内側方へ突出するように形成した平面視矩形且つ正面視三角形のブロック状をなす部位であり、その天板支持面たる上向面６３ａを取付部６１の上向面６１ａと面一としている。そして、この上向面６３ａに天板１の補強部材３の下壁３２を上方から載置させて支持するようにしている。そして、上述した天板１の取付構造Ｘにおける支持体４に対する天板１の水平方向への取り付けを補助すべく、この支持部６３と補強部材３とを上下方向に固定するようにしている。すなわち、補強部材３の下壁３２に形成したボルト挿通孔３２ａ及びナットＮ２と連通するように、支持部６３の略中央部に幅方向に延びる長孔６３ｂを形成しており、この長孔６３ｂに下方から挿通したボルトＢ２を補強部材のボルト挿通孔３２ａにも挿通し、さらにナットＮ２に締め込む構成を採用している。そのために、長孔６３ｂは、上端部６３ｂ１よりも下端部６３ｂ２の開口幅を広くしてあり、これら上端部６３ｂ１と下端部６３ｂ２との境界部分となる段差部６３ｂ３の下向面をボルトＢ２の回転の足場としている。なお、このように長孔６３を形成したのは、上述した天板１の取付構造Ｘにおいて、補強部材３が接合部６２に引き寄せられて支持部６３に単に載置した位置から多少のズレが生じた場合でも、ナットＮ２にボルトＢ２を確実に止着できるようにするためである。
【００２６】
以上のように構成されるテーブルＴは、予め工場などで天板１及び支持体４を、天板本体２に補強部材３を組み付け、また側板５に天板支持用ブラケット６を組み付けた状態とされ、その状態で出荷してユーザのもとに納入され、図１に示すようにその納入現場においてノックダウン方式で、天板１と支持体４とが組み立てられる。なお、幕板７は、納入現場において、ボルト７１等を用いて側板５、５の間に取り付けられる。
【００２７】
以上のように、本実施形態に係る天板支持用ブラケット６の取付構造Ｙでは、支持体本体たる側板４の上端部に形成した切欠部５１ａに天板支持用ブラケット６を挿入して、天板支持用ブラケット６を側板４に対して上下方向に固定するようにした構成を採用している。具体的には、このように切欠部５１ａに天板支持用ブラケット６を上方から挿入した状態で、その下方における側板５の内部に埋設したナット部材Ｎ３に、天板支持用ブラケット６及び側板５を部分的に貫通させたボルト部材Ｂ３を止着することによって、天板支持用ブラケット６を側板５に固定している。そのため、従来のように側板等の支持体本体に天板支持用ブラケットを単に載せた状態でそれらを固定したり、或いは側板タイプの支持体本体の側面にＬ字形ブラケット等をあてがって固定していた態様と比較すると、本実施形態は、天板支持用ブラケット６の側板５に対する位置決めが極めて容易であるとともに、上方から取付作業を行うことができるという点で、極めて簡便且つ正確な作業を行うことができるという利点が得られる。また、ノックダウン方式での納入現場におけるテーブルＴの組立作業における従来の煩雑さを解消し、迅速且つ正確な組立作業を行うことができることから、結果としてコストダウンにも貢献することが可能である。
【００２８】
しかも、ボルト部材Ｂ３を上方から挿通するためのボルト挿通孔６１ｅ、５１ｄを天板支持用ブラケット６の取付部６１及び側板５に連通させて形成しており、側板５のボルト挿通孔５１ｄの下端部にナット部材Ｎ３をそのナット孔Ｎ３ａが上下方向を向くように配置していることから、ボルト部材Ｂ３の頭部Ｂ３ｂとナット孔Ｎ３ａとの離間距離を十分に取ることができ、それらの間に介在する天板支持用ブラケット６と側板５の肉厚を十分に確保することができる。この結果、天板支持用ブラケット６の取付時や取付後において、ボルト部材Ｂ３とナット部材Ｎ３とが傾いて取付誤差が生じる可能性が極めて小さくなり、天板支持用ブラケット６のみならず天板１の取付精度及び取付強度をも非常に高いものとすることができる。
【００２９】
なお、本発明は上述した実施形態に限られるものではない。例えば、支持体本体に側板を適用せず、いわゆる袖構造体、Ｔ字脚、Ｌ字脚等を適用しても、上記実施形態と同様の効果を得ることができる。その他、天板支持用ブラケットや支持体本体等の各部の具体的構成や形状、素材などについても上記実施形態に限られるものではなく、本発明の趣旨を逸脱しない範囲で種々変形が可能である。
【００３０】
【発明の効果】
以上に詳述したように、本発明の天板支持用ブラケットの取付構造は、天板を支持する支持体の主要部である支持体本体に形成した切欠部に、天板支持用ブラケットを挿入して、上下方向に固定して取り付けるように構成したものであるので、天板支持用ブラケットの位置決めを極めて簡単で正確に行うことができる。また、それに伴って、取付時及び取付後の天板支持用ブラケット並びにそれに支持される天板の安定性も向上することが可能である。従って、特にノックダウン方式で納入現場において組立作業が行われる天板付家具においては、その組立現場で面倒な精度の調整を行う必要がなく、作業の迅速化と簡易化、ひいてはコストダウンを図ることができる。
【００３１】
また本発明の天板支持用ブラケットの取付構造は、支持体本体である側板の内部にナット部材を埋設し、さらに側板及び天板支持用ブラケットに側板内部に埋設させたナット部材のナット孔に連通して上下方向に延びるボルト挿通孔を形成し、このボルト挿通孔の上方において側板に載置した天板支持用ブラケットを、前記ボルト挿通孔に上方から挿入してナット部材に止着されるボルト部材を利用して、天板支持用ブラケットを側板に固定するように構成したものである。そのため、比較的薄幅な側板に対する天板支持用ブラケットの取付構造であっても、ボルト部材の頭部と側板内のナット部材におけるナット孔との距離を、少なくとも側板に形成したボルト挿通孔の長手寸法分、或いはそれに加えて天板支持用ブラケットの一部の肉厚分だけ長く取ることができる。従って、ボルト部材の止着時に無理な力を加えた場合や組立後にボルト部材の軸部と直交する方向に外力が作用した場合でも、ボルト部材とナット部材とに生じる傾きを非常に小さく抑制することができ、天板支持用ブラケットの天板支持用ブラケット及び天板の取付誤差を非常に小さいものとすることが可能である。
【図面の簡単な説明】
【図１】本発明の一実施形態に係る天板の取付構造を適用したテーブルを示す分解斜視図。
【図２】同テーブルの正面図。
【図３】同側面図。
【図４】図２におけるＡ−Ａ線断面図。
【図５】同要部を拡大して示す部分分解斜視図。
【図６】図４におけるＢ−Ｂ線断面図。
【図７】図３におけるＣ−Ｃ線断面図。
【図８】図３におけるＤ−Ｄ線断面図。
【符号の説明】
１…天板
４…支持体
５…支持体本体（側板）
６…天板支持用ブラケット
５１ａ…切欠部
５１ａ１…上向面
５１ｄ…ボルト挿通孔
６１ａ、６３ａ…天板支持面（上向面）
６１ｅ…ボルト挿通孔
Ｂ３…ボルト部材
Ｂ３ｂ…頭部
Ｎ３…ナット部材
Ｎ３ａ…ナット孔
Ｔ…天板付家具（テーブル）
Ｙ…天板支持用ブラケットの取付構造
【図１】
2004344573.tif 000003
【図２】
2004344573.tif 000004
【図３】
2004344573.tif 000005
【図４】
2004344573.tif 000006
【図５】
2004344573.tif 000007
【図６】
2004344573.tif 000008
【図７】
2004344573.tif 000009
【図８】
2004344573.tif 000010